(57)【要約】【課題】  小型の浴槽にも容易に設置できる微細気泡発生装置を備えた浴槽を提供する。【解決手段】  浴槽８内部にポンプ３と気液接触タンク４とが配置されて、上記ポンプ３で吸込口９から浴水を吸水して空気を混入するとともに、この浴水を上記気液接触タンク４内に噴出してバブリング状態とし、この浴水を微細気泡を含む浴水に変換しながら、吐出口１０から吐出させるようにした微細気泡発生装置を備えた浴槽８において、上記ポンプ３は、浴槽８の長手方向の一方の角部８ａ内に配置されるとともに、上記気液接触タンク４は、浴槽８の長手方向の他方の角部８ｂ内に配置されている。【選択図】  図１
2005177119.tif 000002
【特許請求の範囲】
【請求項１】
浴槽内部にポンプと気液接触タンクとが配置されて、上記ポンプで吸込口から浴水を吸水して空気を混入するとともに、この浴水を上記気液接触タンク内に噴出してバブリング状態とし、この浴水を微細気泡を含む浴水に変換しながら、吐出口から吐出させるようにした微細気泡発生装置を備えた浴槽において、
上記ポンプは、浴槽の長手方向の一方の角部内に配置されるとともに、上記気液接触タンクは、浴槽の長手方向の他方の角部内に配置されていることを特徴とする微細気泡発生装置を備えた浴槽。
【請求項２】
上記ポンプと気液接触タンクとは、洗い場側の角部内に配置されている請求項１記載の微細気泡発生装置を備えた浴槽。
【請求項３】
上記吸込口、吐出口、接続配管および関連機器類は、浴槽の洗い場側に設けられている請求項２記載の微細気泡発生装置を備えた浴槽。
【発明の詳細な説明】
【技術分野】
【０００１】
本発明は、小型の浴槽にも容易に設置できる微細気泡発生装置を備えた浴槽に関する。
【背景技術】
【０００２】
従来、浴槽内部にポンプと気液接触タンクとが配置されて、上記ポンプで吸込口から浴水を吸水して空気を混入するとともに、この浴水を上記気液接触タンク内に噴出してバブリング状態とし、この浴水を微細気泡を含む浴水に変換しながら、吐出口から吐出させるようにした微細気泡発生装置を備えた浴槽がある（例えば、特許文献１参照）。
【０００３】
上記のような微細気泡発生装置を備えた浴槽は、図３の平面図に示すように、浴槽１の長手方向方向の一方に給水カラン２が設けられて、浴槽１の長手方向の他方の内部にタンク３と気液接触タンク４とを配置している。なお、５は浴室の壁、６は洗い場である。
【０００４】
このような配置は、タンク３と気液接触タンク４との接続配管が短くなるという利点を有している。
【特許文献１】特開２０００−３２５２４６号公報
【発明の開示】
【発明が解決しようとする課題】
【０００５】
しかしながら、浴槽１の長手方向の他方の内部に、タンク３と気液接触タンク４とを配置するスペースＳ１を必要とすることから、長さＬ１が長い（例えば１６００ｍｍ）大型の浴槽にしか採用できないという問題があった。
【０００６】
本発明は、上記問題を解消するためになされたもので、小型の浴槽にも容易に設置できる微細気泡発生装置を備えた浴槽を提供することを課題とするものである。
【課題を解決するための手段】
【０００７】
上記課題を解決するために、本発明は、浴槽内部にポンプと気液接触タンクとが配置されて、上記ポンプで吸込口から浴水を吸水して空気を混入するとともに、この浴水を上記気液接触タンク内に噴出してバブリング状態とし、この浴水を微細気泡を含む浴水に変換しながら、吐出口から吐出させるようにした微細気泡発生装置を備えた浴槽において、
上記ポンプは、浴槽の長手方向の一方の角部内に配置されるとともに、上記気液接触タンクは、浴槽の長手方向の他方の角部内に配置されていることを特徴とする微細気泡発生装置を備えた浴槽を提供するものである。
【０００８】
請求項２のように、上記ポンプと気液接触タンクとは、洗い場側の角部内に配置されている構成とすることが好ましい。
【０００９】
請求項３のように、上記吸込口、吐出口、接続配管および関連機器類は、浴槽の洗い場側に設けられている構成とすることが好ましい。
【発明の効果】
【００１０】
本発明によれば、浴槽の長手方向の一方の角部内にポンプを配置し、他方の角部内に気液接触タンクを配置することにより、角部を有効に利用してポンプと気液接触タンクとを振り分け配置できるので、長さが短い（例えば１４００ｍｍ）小型の浴槽にも採用できるようになる。
【００１１】
請求項２によれば、ポンプと気液接触タンクとを洗い場側の角部内に配置することにより、洗い場側の浴槽エプロンの点検口から、ポンプと気液接触タンクとを容易に保守点検できるようになる。
【００１２】
請求項３によれば、吸込口、吐出口、接続配管および関連機器類を浴槽の洗い場側に設けることにより、洗い場側の浴槽エプロンの点検口から、吸込口、吐出口、接続配管および関連機器類を容易に保守点検できるようになる。
【発明を実施するための最良の形態】
【００１３】
以下、本発明を実施するための最良の形態について、図面を参照しながら詳細に説明する。なお、従来技術と同一構成・作用の箇所は、同一番号を付して詳細な説明は省略する。
【００１４】
図１は浴槽８の断面図、図２は浴槽８の平面図である。上記浴槽８は、長さＬ２が短い（例えば１４００ｍｍ）小型の浴槽であって、従来と同様に、長手方向の一方に給水カラン２が設けられている。なお、５は浴室の壁、６は洗い場である。
【００１５】
上記浴槽８の長手方向の他方の内部にスペースＳ２が形成されるとともに、長手方向の一方の内部にスペースＳ２が形成されている。この各スペースＳ２は、従来のスペースＳ１の約半部程度であって、このスペースＳ２の幅が狭いために、内部にポンプ３や気液接触タンク４を従来のようにまとめて配置することができない。
【００１６】
そこで、図２に示したように、上記ポンプ３は、浴槽８の長手方向の一方の角（コーナー）部８ａ内に配置するとともに、上記気液接触タンク４は、浴槽８の長手方向の他方の角（コーナー）部８ｂ内に配置する。すなわち、スペースＳ２自体の幅は狭いものの、角（コーナー）部８ａ，８ｂの対角部分は、比較的広くなるので、ポンプ３と気液接触タンク４とそれぞれ配置することが可能である。
【００１７】
上記ポンプ３は、浴槽８の長手方向の他方の角（コーナー）部８ｂ内に配置するとともに、上記気液接触タンク４は、浴槽８の長手方向の一方の角（コーナー）部８ａ内に配置することも可能である。
【００１８】
上記ポンプ３と気液接触タンク４とは、奥壁側の角部８ａ´，８ｂ´ではなく、洗い場６側の角部８ａ，８ｂ内に配置することが好ましい。
【００１９】
図１に示すように、浴槽８の洗い場６側の浴槽壁８ｃには吸込口９と吐出口１０とが形成されている。上記ポンプ３と気液接触タンク４とは、これらの吸込口９と吐出口１０よりも高い位置に配置されている。
【００２０】
上記吸込口９は、接続管２０を介して空気吸引部（エゼクタ−）１１の入口に接続され、この空気吸引部１１の出口は、接続管２１を介して上記ポンプ３に接続されている。
【００２１】
上記浴槽８のフランジ部８ｄの裏面には、逆止弁１２と絞り弁１３とフィルター１４とで３段構成された空気取入れ部１５が設置され、この空気取入れ部１５は、接続管２２を介して上記空気吸引部１１の側部に接続されている。
【００２２】
上記ポンプ３は、接続管２３を介して上記気液接触タンク４の上部に設けられた噴霧ノズル１６に接続されていて、この気液接触タンク４には、空気抜き弁１７が設けられている。
【００２３】
上記気液接触タンク４の下部は、接続管２４を介して上記吐出口１０に接続され、この接続管２４の途中には、減圧弁１８が介設されている。
【００２４】
上記接続配管２０〜２４および関連機器類１１，１５，１８は、上記吸込口９と吐出口１０と同様に、浴槽８の洗い場６側にまとめて設けられているのが好ましい。また、上記接続配管２０〜２４および関連機器類１１，１５，１８は、上記ポンプ３と気液接触タンク４と同様に、吸込口９と吐出口１０よりも高い位置に配置されているのが好ましい。
【００２５】
上記のように微細気泡発生装置を備えた浴槽８を構成すれば、スイッチ操作でポンプ３を駆動すれば、吸込口９から接続管２０，２１を介して浴槽８内の浴水がポンプ３に吸水されるとともに、その途中で、空気吸引部（エゼクタ−）１１の負圧作用により空気取入れ部１５から取入れられた空気が浴水に混入されるようになる。
【００２６】
そして、空気が混入された浴水は、ポンプ３から接続管２３を介して噴霧ノズル１６から気液接触タンク４内に噴出されることでバブリング状態となる。この気液接触タンク４内の余剰空気は、空気抜き弁１７からタンク外部に排出される。
【００２７】
この気液接触タンク４内の浴水は、減圧弁１８で白濁の濃い微細気泡を含む浴水に変換されながら、吐出口１０から浴槽８内に吐出されるようになる。
【００２８】
このような浴水の循環を繰り返すことで浴槽８内は、微細気泡の浴水で満たされるようになる。
【００２９】
上記構成において、浴槽８の長手方向の一方の角部８ａ内にポンプ３を配置し、他方の角部８ｂ内に気液接触タンク４を配置したから、角部８ａ，８ｂの対角部分を有効に利用してポンプ３と気液接触タンク４とを振り分け配置できるので、長さＬ２が短い小型の浴槽８にも採用できるようになった。
【００３０】
また、ポンプ３と気液接触タンク４とを洗い場６側の角部８ａ，８ｂ内に配置したから、洗い場６側の浴槽エプロンの点検口から、ポンプ３と気液接触タンク４とを容易に保守点検できるようになった。
【００３１】
さらに、吸込口９、吐出口１０、接続配管２０〜２４および関連機器類１１，１５，１８を浴槽８の洗い場６側に設けたから、洗い場６側の浴槽エプロンの点検口から、吸込口９、吐出口１０、接続配管２０〜２４および関連機器類１１，１５，１８を容易に保守点検できるようになった。
【００３２】
また、ポンプ３と気液接触タンク４、接続配管２０〜２４および関連機器類１１，１５，１８を吸込口９と吐出口１０よりも高い位置に配置したから、浴槽８から浴水を排水するときに、これらの内部に残水が残らないので、衛生的である。
【図面の簡単な説明】
【００３３】
【図１】本発明にかかる微細気泡発生装置を備えた浴槽の断面図である。
【図２】本発明にかかる微細気泡発生装置を備えた浴槽の平面図である。
【図３】従来の微細気泡発生装置を備えた浴槽の平面図である。
【符号の説明】
【００３４】
３      ポンプ
４      気液接触タンク
６      洗い場
８      浴槽
８ａ    一方の角部
８ｂ    他方の角部
９      吸込口
１０    吐出口
１１，１５，１８  関連機器類
２０〜２４  接続配管
【図１】
2005177119.tif 000003
【図２】
2005177119.tif 000004
【図３】
2005177119.tif 000005